(57)【要約】【課題】  バランサーのワイアが切れたり、ゼンマイ等が破損しても障子が落下しないようにしたバランサーの緊急停止機構を提供する。【解決手段】  ゼンマイケース３と基板９との間に間隙１２を設け、この間隙内における基板側に、支軸８と同軸のリング状で、内側に向って低くなる傾斜面を有する環堤部１３を形成し、一方、ゼンマイケースの環堤部に対向する側に、環堤部に近接して制御板を一体的に設け、この制御板の外周部に半径方向に延在する少なくとも１本の遊動溝を形成すると共に、この遊動溝にクラッチボール１６を移動可能に収納する。【選択図】  図２
2008248576.tif 000002
【特許請求の範囲】
【請求項１】
基板に垂直な相対関係位置で固定された支軸と、この支軸に回動可能に支承されたゼンマイケースと、このゼンマイケースと支軸との間に弾装されたゼンマイばねと、上記ゼンマイケースに同軸かつ一体的に連結され、全体の形状が円錐台形をなすと共に、その外面に螺旋溝を形成したワイアドラムと、一端部をこの螺旋溝に巻き掛けられ、他端を上げ下げ窓の障子に連結された吊りワイアとを有し、ゼンマイばねを適切に撓めて吊りワイアの張力を一定に保つようにしたものにおいて、ゼンマイケースと基板との間に間隙を設け、この間隙内における基板側に、支軸と同軸のリング状で、内側に向って低くなる傾斜面を有する環堤部を形成し、一方、ゼンマイケースの環堤部に対向する側に、環堤部に近接して制御板を一体的に設け、この制御板の外周部に半径方向に延在する少なくとも１本の遊動溝を形成すると共に、この遊動溝にクラッチボールを移動可能に収納したことを特徴とするバランサーの緊急停止機構。
【発明の詳細な説明】
【技術分野】
【０００１】
この発明は、上げ下げ窓用バランサーの緊急停止機構（以下単に緊急停止機構という）に係り、特に、２個で１枚の障子を指示する形式のバランサーにおいて、１個のバランサーのワイアが切れたり、ゼンマイ等が破損しても障子が落下しないようにした緊急停止機構に関する。
【背景技術】
【０００２】
バランサー窓は、建物の壁に嵌め込まれた窓枠（図示せず）に、見込み方向に連設された内側及び外側窓を夫々上下方向に移動可能に案内してなる。
【０００３】
そして、バランサー５は、図１乃至図３に示すように、ゼンマイばね２を内蔵したゼンマイケース３と、このゼンマイケース３に一体に連結された全体の形状が例えば円錐台状のワイアドラム４とを有してなる。
【０００４】
上記ワイアドラム４には、図示しない螺旋溝が形成されていて、この螺旋溝のゼンマイケース３に近い大径部から吊りワイア５が巻き掛けられ、小径部から巻き解れて、アイドルプーリー１１を経て垂下し、その下端が窓２、３の側端縁に結合されるている（図３参照）。
【０００５】
上記螺旋溝の立体形状は、例えば渦巻き蚊取り厚さ方向に引き伸ばしたような形状であり、吊りワイア５をワイアドラム４から巻き解していくと、ゼンマイばね２が巻き締められてゼンマイケース３の出力トルクが線形的に増加する一方、ワイアドラムの中心と吊りワイア５との距離が連続的かつ線形的に減少していく。
【０００６】
そのため、各部材の寸法及び形状を適切に設定すると、ゼンマイケース３の出力トルクが増大しても吊りワイア７の張力を一定にすることができ、したがって障子を夫々独立に、かつ任意の上下位置に停止させることができる。
【０００７】
なお、上記したバランサー窓の構成は例えば下記特許文献１に記載されているように従来周知であるから、更に詳細な説明は省略する。
【特許文献１】特開２００５−２９９１８９
【発明の開示】
【発明が解決しようとする課題】
【０００８】
しかして、通常、バランサー窓においては１枚の障子につき２個のバランサーが装着され、障子が傾かないように、つまり障子が円滑に上下できるように構成されている。
【０００９】
そのため、一方のバランサーの吊りワイアが切れたり、ゼンマイばねが折れたり、或いは他の金具が破損したりして作動しなくなると、他方のバランサーに障子の負荷が余分にかかり、そのため障子を支持しきれなくて障子が落下する、等未だ改良の余地がある。
【００１０】
そこで、この発明は、２個で１枚の障子を支持する形式のバランサーにおいて、１個のバランサーのワイアが切れたり、ゼンマイ等が破損しても障子が落下しないようにした緊急停止機構を提供することを目的としている。
【課題を解決するための手段】
【００１１】
上記の目的を達成するため、この発明は、基板に垂直な相対関係位置で固定された支軸と、この支軸に回動可能に支承されたゼンマイケースと、このゼンマイケースと支軸との間に弾装されたゼンマイばねと、上記ゼンマイケースに同軸かつ一体的に連結され、全体の形状が円錐台形をなすと共に、その外面に螺旋溝を形成したワイアドラムと、一端部をこの螺旋溝に巻き掛けられ、他端を上げ下げ窓の障子に連結された吊りワイアとを有し、ゼンマイばねを適切に撓めて吊りワイアの張力を一定に保つようにしたものにおいて、ゼンマイケースと基板との間に間隙を設け、この間隙内における基板側に、支軸と同軸のリング状で、内側に向って低くなる傾斜面を有する環堤部を形成し、一方、ゼンマイケースの環堤部に対向する側に、環堤部に近接して制御板を一体的に設け、この制御板の外周部に半径方向に延在する少なくとも１本の遊動溝を形成すると共に、この遊動溝にクラッチボールを移動可能に収納したことを特徴とする。
【発明の効果】
【００１２】
上記のように構成された請求項１に記載の発明は、例えば一方のバランサーの吊りワイアが切れるなどして他方のバランサーに２倍の負荷が掛かったときには、他方のバランサーの制御板が急激に回転する結果、遊動溝に収納されたクラッチボールが遠心力により半径方向外方に移動する。
【００１３】
そのため、クラッチボールが基板上の環堤部の傾斜面に沿って上昇するように移動するので、ついにはクラッチボールが傾斜面と制御板の遊動溝底面との間に強く挟まれ、ゼンマイケース及びこれと一体のワイアドラムに制動が掛かってワイアドラムが停止し、障子の落下を防止する、という所期の効果を奏する。
【発明を実施するための最良の形態】
【００１４】
ゼンマイケースと基板との間に間隙を設け、この間隙内における基板側に、支軸と同軸のリング状で、内側に向って低くなる傾斜面を有する環堤部を形成し、一方、ゼンマイケースの環堤部に対向する側に、環堤部に近接して制御板を一体的に設け、この制御板の外周部に半径方向に延在する少なくとも１本の遊動溝を形成すると共に、この遊動溝にクラッチボールを移動可能に収納する、という簡単な構成で、一方のバランサーが故障しても、他方のバランサーにブレーキが掛かるようにして障子の落下を防止することができた。
【実施例１】
【００１５】
以下、図面を参照してこの発明の実施例を説明する。
なお、バランサーの構造そのものについては、前に説明したし、また、周知であるから、以下に簡単に説明する。
【００１６】
図１乃至図３において符号８は支軸を示し、この支軸８は基板９と垂直な関係位置を保って、上端を投影形状が横向きＹ字形(図１参照)の傘カバー１１によって支持されている。
【００１７】
上記支軸８に回動可能に支承されたゼンマイケース３と基板９との間には間隙１２(図２参照)が設けられている。
【００１８】
この間隙１２内における基板９側に、支軸８と同軸のリング状で、内側に向って低くなる傾斜面を有する環堤部１３(図２及び図４参照)が形成されている。
【００１９】
図示の実施例では、この環堤部を例えば基板９をプレスにより形成するものとしたが、環堤部１３を直接基板９に形成する必然性はなく、環堤部を旋削により形成した部品を例えばねじ止めにより基板９に装着しても良い。
【００２０】
これに対応して、図２に示すように、ゼンマイケース３の環堤部１３に対向する側に、環堤部に近接して制御板１４(図４参照)が一体的に設けられており、この制御板の外周部に半径方向に延在する少なくとも１本(図示の実施例では４本)の遊動溝１５が形成されている。
【００２１】
そして、各遊動溝１５にはクラッチボール１６が制御盤１４の半径方向に移動可能に収納されている。
【００２２】
ちなみに、このクラッチボール１６は例えば鋼球とか、硬質プラスチックの球体等を採用することができる。
【００２３】
上記のように構成されたこの発明の一実施例による緊急停止機構は、バランサーの通常の使用時には、制御板１４の回転は準静的に近いから、クラッチボール１６は環堤部１３の内側にあってなるべく制御盤１４の回転の邪魔にならないように転がる。
【００２４】
一方、相手方のバランサー１の吊りワイアが切れるなどして吊りワイア５の張力が増大したときには、制御板１４が急激に増速され、その結果、各クラッチボール１６が遠心力により外方、すなわち遊動溝から脱出する方向に加速され、環堤部の傾斜面を駆け上がるように移動するに至る。
【００２５】
その結果、図５及び図６に示すように、クラッチボール１６が環堤部の傾斜面と遊動溝１５の底面の間に噛み込まれ、制御板１４及びこれと一体のゼンマイケースにブレーキが掛かかるので、障子の落下が防止される。
【図面の簡単な説明】
【００２６】
【図１】この発明の一実施例によるバランサーの平面図。
【図２】その側面図。。
【図３】その正面図。
【図４】制御板と環堤部との相対位置関係を示す線図。
【図５】図２と同様の側面図で、ゼンマイケースにブレーキが掛かった状態を示す。
【図６】図４と同様の線図で、ゼンマイケースにブレーキが掛かった状態を示す。
【符号の説明】
【００２７】
１  バランサー
２  ゼンマイばね
３  ゼンマイケース
４  ワイアドラム
５  吊りワイア
６  アイドルプーリー
７  障子
８  支軸
９  基板
１１傘カバー
１２  間隙
１３  環堤部布施
１４  制御板
１５  遊動溝
１６  クラッチボール
【図１】
2008248576.tif 000003
【図２】
2008248576.tif 000004
【図３】
2008248576.tif 000005
【図４】
2008248576.tif 000006
【図５】
2008248576.tif 000007
【図６】
2008248576.tif 000008